(57)【要約】  補完視聴サービスの利用に際して、ユーザの興味や意図を反映させることが可能な携帯端末装置及び補完視聴サービスシステムを提供する。  放送局１０からの携帯端末向けの地上波デジタル放送を受信する携帯端末装置５０は、制御部６１とともに、ユーザによって設定された情報を保存する設定保存部５６、ユーザが視聴したデジタル放送番組の回数をジャンル毎に計数して保存するジャンル保存部５７を備える。制御部６１は、ジャンル選択メニューで「過去Ｘ回視聴したジャンル」が選択された場合、設定保存部５６に保存された設定視聴回数及びジャンル保存部５７に保存された視聴回数を参照し、これらを比較する。視聴回数が設定視聴回数を上回った場合、そのジャンルについては、自動的に補完視聴サービスを利用可能であることが設定される。
2008065705.tif 000002
【特許請求の範囲】
【請求項１】
受信中の放送番組が視聴不可能な状態になった場合、補完視聴サービスを利用する携帯端末装置であって、
前記補完視聴サービスの利用条件を入力する入力部と、
前記入力した補完視聴サービスの利用条件を設定する利用条件設定部と、
前記受信中の放送番組が視聴不可能な状態にある場合、前記設定された利用条件が満たされているか否かを判別する利用条件判別部と、
前記利用条件が満たされている場合、前記補完視聴サービスを利用可能に設定するサービス利用可能設定部と
を備える携帯端末装置。
【請求項２】
請求項１記載の携帯端末装置であって、
前記利用条件設定部は、前記補完視聴サービスの利用条件として、前記入力部により入力されたジャンル毎の設定回数を設定し、
前記利用条件判別部は、前記受信中の放送番組に対応するジャンルの視聴回数が前記設定回数を上回る場合、前記利用条件が満たされていると判別する携帯端末装置。
【請求項３】
請求項１記載の携帯端末装置であって、
前記利用条件設定部は、前記補完視聴サービスの利用条件として、前記入力部により入力された前記補完視聴サービスの設定回数をジャンル毎に設定し、
前記利用条件判別部は、前記受信中の放送番組に対応するジャンルの前記視聴補完サービスの利用回数が前記設定回数を上回る場合、前記利用条件が満たされていると判別する携帯端末装置。
【請求項４】
請求項１記載の携帯端末装置であって、
前記利用条件設定部は、前記補完視聴サービスの利用条件として、画質の劣化度合いを設定し、
前記利用条件判別部は、前記受信中の放送番組の画質が前記設定された劣化度合いより劣っている場合、前記利用条件が満たされていると判別する携帯端末装置。
【請求項５】
請求項４記載の携帯端末装置であって、
前記利用条件設定部は、前記画質の劣化度合いを複数レベルの中から選択して設定する携帯端末装置。
【請求項６】
請求項１記載の携帯端末装置であって、
前記補完視聴サービスの利用の停止要求を受け付ける停止要求受付部を備え、
前記サービス利用設定部は、前記停止要求を受け付けた場合、前記補完視聴サービスの利用を停止する携帯端末装置。
【請求項７】
請求項１記載の携帯端末装置であって、
前記補完視聴サービスの利用条件の一覧を表示する表示部を備え、
前記入力部は、前記表示された一覧の中からユーザにより選択された前記補完視聴サービスの利用条件を入力する携帯端末装置。
【請求項８】
請求項１記載の携帯端末装置であって、
前記補完視聴サービスで提供される補完視聴サービス用コンテンツデータの種類を表示する表示部を備え、
前記入力部は、前記表示されたデータの中からユーザにより選択された補完視聴サービス用コンテンツデータの種類を入力する携帯端末装置。
【請求項９】
請求項１記載の携帯端末装置であって、
前記補完視聴サービスの利用可能に関する利用設定情報、及び前記放送番組の視聴不可能に関する視聴不可情報を、前記補完視聴サービスを提供する補完視聴サービス装置に送信する通信部を備え、
前記通信部にて前記補完視聴サービス装置から配信される補完視聴サービス用コンテンツデータを受信する携帯端末装置。
【請求項１０】
請求項１記載の携帯端末装置であって、
前記利用条件設定部は、前記放送の受信中及び受信開始前のいずれでも、前記入力部により入力された補完視聴サービスの利用条件を設定可能である携帯端末装置。
【請求項１１】
携帯端末装置で受信中の放送番組が視聴不可能な状態になった場合、補完視聴サービス装置が前記携帯端末装置に対して補完視聴サービスを提供する補完視聴サービスシステムであって、
前記携帯端末装置は、
前記補完視聴サービスの利用条件を入力する入力部と、
前記入力した補完視聴サービスの利用条件を設定する利用条件設定部と、
前記受信中の放送番組が視聴不可能な状態にある場合、前記設定された利用条件が満たされているか否かを判別する利用条件判別部と、
前記利用条件が満たされている場合、前記補完視聴サービスを利用可能に設定するサービス利用可能設定部と、
前記補完視聴サービスの利用可能に関する利用設定情報、及び前記放送番組の視聴不可能に関する視聴不可情報を、前記補完視聴サービス装置に送信する通信部とを備え、
前記補完視聴サービス装置は、
前記携帯端末装置から前記利用設定情報及び前記視聴不可情報を受信する通信部と、
前記利用設定情報及び前記視聴不可情報を基に、前記視聴不可能な状態にある放送番組を録画して補完視聴サービス用コンテンツデータを編集する編集部と、
前記編集された補完視聴サービス用コンテンツデータを前記携帯端末装置に配信する配信部とを備える補完視聴サービスシステム。
【請求項１２】
携帯端末装置で受信中の放送番組が視聴不可能な状態になった場合、補完視聴サービス装置により前記携帯端末装置に対して補完視聴サービスを提供する補完視聴サービス方法であって、
前記携帯端末装置において、入力装置を介して前記補完視聴サービスの利用条件を入力する入力ステップと、
前記入力した補完視聴サービスの利用条件を設定する利用条件設定ステップと、
前記受信中の放送番組が視聴不可能な状態にある場合、前記設定された利用条件が満たされているか否かを判別する利用条件判別ステップと、
前記利用条件が満たされている場合、前記補完視聴サービスを利用可能に設定する利用可能設定ステップと、
前記補完視聴サービスの利用可能に関する利用設定情報、及び前記視聴不可能に関する視聴不可情報を、前記補完視聴サービス装置に送信する送信ステップとを有し、
前記補完視聴サービス装置において、前記携帯端末装置から前記利用設定情報及び前記視聴不可情報を受信する受信ステップと、
前記利用設定情報及び前記視聴不可情報を基に、前記視聴不可能な状態にある放送番組を録画して補完視聴サービス用コンテンツデータを編集する編集ステップと、
前記編集された補完視聴サービス用コンテンツデータを前記携帯端末装置に配信する配信ステップとを有する補完視聴サービス方法。
【請求項１３】
コンピュータを、請求項１から１０のいずれかに記載の携帯端末装置の各部として機能させるためのプログラム。
【発明の詳細な説明】
【技術分野】
【０００１】
本発明は、地上波デジタル放送等において、受信中の放送番組が視聴不可能な状態になった場合に補完視聴サービスを利用する携帯端末装置、補完視聴サービスシステム及び補完視聴サービス方法に関する。
【背景技術】
【０００２】
図１９は従来の携帯端末向けデジタル放送システムの構成例を示す図である。この携帯端末向けデジタル放送システムは、放送局１１０、補完視聴サービスサーバ１２０、電話公衆網１３０、無線基地局１４０及び携帯端末装置１５０を有して構成される。【０００３】
放送局１１０は、携帯端末向けの地上波デジタル放送を行う。補完視聴サービスサーバ１２０は、放送局１１０からのデジタル放送を受信し、デジタル放送の番組内容を高速再生ファイル、ダイジェストコンテンツなどの補完視聴サービス用コンテンツデータに変換して蓄積する。電話公衆網１３０及び無線基地局１４０は、補完視聴サービスサーバ１２０の補完視聴サービス用コンテンツデータを携帯端末装置１５０に配信する。【０００４】
携帯端末装置１５０は、放送局１１０ からのデジタル放送を直接受信する機能、及び受信エラー等の原因で放送局１１０からのデジタル放送番組を視聴できなかった場合、視聴できなかった部分を補完視聴サービスサーバ１２０から補完して視聴可能にする機能を有する。【０００５】
具体的に、携帯端末装置１５０で携帯端末向けデジタル放送を受信して視聴している途中、ビット誤り率（ＢＥＲ：Bit Error Rate）等の要因で視聴できなくなった場合、携帯端末装置１５０から無線基地局１４０に向けて視聴が不可能になった時刻がパケット通信により送られる。その後、視聴可能になった場合、その時刻が再び無線基地局１４０に送信される。【０００６】
補完視聴サービスサーバ１２０は、無線基地局１４０から電話公衆網１３０を介して視聴不可能になった時刻及び視聴可能になった時刻を受信する。そして、上記時刻間を含む番組内容のダイジェストコンテンツあるいは高速再生ファイルを生成し、無線基地局１４０から携帯端末装置１５０に向けて配信する。携帯端末装置１５０は、配信されたダイジェストコンテンツあるいは高速再生ファイルを再生する。【０００７】
この配信されるダイジェストコンテンツあるいは高速再生ファイルには、放送時刻情報が多重化されている。携帯端末装置１５０は、放送時刻情報を監視し、放送時刻情報が現在時刻に追いついた段階で、自動的にデジタル放送の受信に切り替える。これにより、番組内容が途切れることなく視聴が可能となる。【０００８】
このように、従来の携帯端末向けのデジタル放送システムでは、携帯端末装置でデジタル放送を受信中、ＢＥＲ劣化等の要因で番組を視聴できなくなった場合、補完視聴サービスサーバから携帯端末装置に対して補完視聴サービス用コンテンツデータが配信される。これにより、視聴できなかった番組部分を補完して視聴することが可能となる。
【特許文献１】特開２００４−３４９９３２号公報
【発明の開示】
【発明が解決しようとする課題】
【０００９】
しかしながら、上記従来の補完視聴サービスシステムでは、以下に掲げる問題があり、その改善が要望されている。即ち、ユーザが視聴している番組に対し、ジャンルの興味が反映されなかった。つまり、興味のない番組内容で補完視聴サービスが不要であるにも拘わらず、このサービスが利用されていた。【００１０】
また、ユーザが視聴しているデジタル放送の中で、特定のジャンルの番組を高頻度で視聴していた場合、次のような問題があった。ここで、ユーザにとってそのジャンルは興味が高いとする。その興味あるジャンルの番組を視聴している途中で、視聴が不可能になった場合、ユーザは、補完視聴サービスを利用するという設定を、視聴している番組毎に行わなければならなかった。【００１１】
また、補完視聴サービスにより配信される補完視聴サービス用コンテンツデータとして、ダイジェストコンテンツあるいは高速再生ファイルが選択可能であるか否かが明確でなかった。【００１２】
また、ユーザが興味のあるジャンルの番組を視聴している途中で、視聴が不可能になったために、補完視聴サービスサーバによって番組が録画された場合、次のような問題があった。つまり、興味のあるジャンルの番組であっても、そのダイジェストコンテンツあるいは高速再生ファイルの配信が不要である場合、ユーザの意図に反して自動的に配信されていた。【００１３】
また、ユーザによって補完視聴サービスを必要とする画質、つまりビット誤り率（ＢＥＲ）の閾値が設定されていないことに起因し、例えば、「多少の画質の劣化ならば、補完視聴サービスは不要」という場合でも、補完視聴サービスが利用されていた。これが繰り返されると、補完視聴サービスサーバのリソースが不足し、肝心の部分で補完視聴サービスを利用できない等の不具合が生じる可能性があった。【００１４】
本発明は、上記事情に鑑みてなされたもので、補完視聴サービスの利用に際して、ユーザの興味や意図を反映させることができる携帯端末装置、補完視聴サービスシステム及び補完視聴サービス方法を提供することを目的とする。
【課題を解決するための手段】
【００１５】
本発明の携帯端末装置は、受信中の放送番組が視聴不可能な状態になった場合、補完視聴サービスを利用する携帯端末装置であって、前記補完視聴サービスの利用条件を入力する入力部と、前記入力した補完視聴サービスの利用条件を設定する利用条件設定部と、前記受信中の放送番組が視聴不可能な状態にある場合、前記設定された利用条件が満たされているか否かを判別する利用条件判別部と、前記利用条件が満たされている場合、前記補完視聴サービスを利用可能に設定するサービス利用可能設定部とを備えるものである。
これにより、補完視聴サービスの利用に際して、ユーザの興味や意図を反映させることが可能となる。【００１６】
また、本発明は、上記の携帯端末装置であって、前記利用条件設定部は、前記補完視聴サービスの利用条件として、前記入力部により入力されたジャンル毎の設定回数を設定し、前記利用条件判別部は、前記受信中の放送番組に対応するジャンルの視聴回数が前記設定回数を上回る場合、前記利用条件が満たされていると判別するものとする。
これにより、放送番組毎にユーザが補完視聴サービスを利用するか否かという設定を省くことが可能となる。【００１７】
また、本発明は、上記の携帯端末装置であって、前記利用条件設定部は、前記補完視聴サービスの利用条件として、前記入力部により入力された前記補完視聴サービスの設定回数をジャンル毎に設定し、前記利用条件判別部は、前記受信中の放送番組に対応するジャンルの前記視聴補完サービスの利用回数が前記設定回数を上回る場合、前記利用条件が満たされていると判別するものとする。
これにより、放送番組毎にユーザが補完視聴サービスを利用するか否かという設定を省くことが可能となる。【００１８】
また、本発明は、上記の携帯端末装置であって、前記利用条件設定部は、前記補完視聴サービスの利用条件として、画質の劣化度合いを設定し、前記利用条件判別部は、前記受信中の放送番組の画質が前記設定された劣化度合いより劣っている場合、前記利用条件が満たされていると判別するものとする。
これにより、ユーザが補完視聴サービスを利用する際の画質の劣化度合いを任意に設定することが可能となる。例えば、多少の画質の劣化である場合、補完視聴サービスを不要にすることで、繰り返し補完視聴サービスを提供することによって生じる補完視聴サービス装置のリソースの不足を解消することができる。【００１９】
また、本発明は、上記の携帯端末装置であって、前記利用条件設定部は、前記画質の劣化度合いを複数レベルの中から選択して設定するものとする。
これにより、ユーザが補完視聴サービスを利用する際の画質の劣化度合いを簡単に設定することが可能となる。【００２０】
また、本発明は、上記の携帯端末装置であって、前記補完視聴サービスの利用の停止要求を受け付ける停止要求受付部を備え、前記サービス利用設定部は、前記停止要求を受け付けた場合、前記補完視聴サービスの利用を停止するものとする。
これにより、興味のあるジャンルの番組であっても、補完視聴サービスが不要である場合、ユーザはその補完視聴サービスを停止することが可能となる。【００２１】
また、本発明は、上記の携帯端末装置であって、前記補完視聴サービスの利用条件の一覧を表示する表示部を備え、前記入力部は、前記表示された一覧の中からユーザにより選択された前記補完視聴サービスの利用条件を入力するものとする。
これにより、利用条件を設定する際の操作性を高めることが可能となる。【００２２】
また、本発明は、上記の携帯端末装置であって、前記補完視聴サービスで提供される補完視聴サービス用コンテンツデータの種類を表示する表示部を備え、
前記入力部は、前記表示されたデータの中からユーザにより選択された補完視聴サービス用コンテンツデータの種類を入力するものとする。
これにより、補完視聴サービスにより配信される補完視聴サービス用コンテンツデータを明確にすることができる。例えば、ダイジェストコンテンツあるいは高速再生ファイルを選択することができる。【００２３】
また、本発明は、上記の携帯端末装置であって、前記補完視聴サービスの利用可能に関する利用設定情報、及び前記放送番組の視聴不可能に関する視聴不可情報を、前記補完視聴サービスを提供する補完視聴サービス装置に送信する通信部を備え、前記通信部にて前記補完視聴サービス装置から配信される補完視聴サービス用コンテンツデータを受信するものとする。
これにより、補完視聴サービス装置は、ユーザの設定内容に応じて、提供される補完視聴サービス用コンテンツデータを編集することが可能となる。【００２４】
また、本発明は、上記の携帯端末装置であって、前記利用条件設定部は、前記放送の受信中及び受信開始前のいずれでも、前記入力部により入力された補完視聴サービスの利用条件を設定可能であるものとする。
これにより、補完視聴サービスを利用する際の利便性を高めることが可能となる。【００２５】
本発明の補完視聴サービスシステムは、携帯端末装置で受信中の放送番組が視聴不可能な状態になった場合、補完視聴サービス装置が前記携帯端末装置に対して補完視聴サービスを提供する補完視聴サービスシステムであって、前記携帯端末装置は、前記補完視聴サービスの利用条件を入力する入力部と、前記入力した補完視聴サービスの利用条件を設定する利用条件設定部と、前記受信中の放送番組が視聴不可能な状態にある場合、前記設定された利用条件が満たされているか否かを判別する利用条件判別部と、前記利用条件が満たされている場合、前記補完視聴サービスを利用可能に設定するサービス利用可能設定部と、前記補完視聴サービスの利用可能に関する利用設定情報、及び前記放送番組の視聴不可能に関する視聴不可情報を、前記補完視聴サービス装置に送信する通信部とを備え、前記補完視聴サービス装置は、前記携帯端末装置から前記利用設定情報及び前記視聴不可情報を受信する通信部と、前記利用設定情報及び前記視聴不可情報を基に、前記視聴不可能な状態にある放送番組を録画して補完視聴サービス用コンテンツデータを編集する編集部と、前記編集された補完視聴サービス用コンテンツデータを前記携帯端末装置に配信する配信部とを備えるものである。【００２６】
本発明の補完視聴サービス方法は、携帯端末装置で受信中の放送番組が視聴不可能な状態になった場合、補完視聴サービス装置により前記携帯端末装置に対して補完視聴サービスを提供する補完視聴サービス方法であって、前記携帯端末装置において、入力装置を介して前記補完視聴サービスの利用条件を入力する入力ステップと、前記入力した補完視聴サービスの利用条件を設定する利用条件設定ステップと、前記受信中の放送番組が視聴不可能な状態にある場合、前記設定された利用条件が満たされているか否かを判別する利用条件判別ステップと、前記利用条件が満たされている場合、前記補完視聴サービスを利用可能に設定する利用可能設定ステップと、前記補完視聴サービスの利用可能に関する利用設定情報、及び前記視聴不可能に関する視聴不可情報を、前記補完視聴サービス装置に送信する送信ステップとを有し、前記補完視聴サービス装置において、前記携帯端末装置から前記利用設定情報及び前記視聴不可情報を受信する受信ステップと、前記利用設定情報及び前記視聴不可情報を基に、前記視聴不可能な状態にある放送番組を録画して補完視聴サービス用コンテンツデータを編集する編集ステップと、前記編集された補完視聴サービス用コンテンツデータを前記携帯端末装置に配信する配信ステップとを有するものである。【００２７】
また、本発明は、コンピュータを、上記いずれかに記載の携帯端末装置の各部として機能させるためのプログラムを提供する。
【発明の効果】
【００２８】
本発明によれば、補完視聴サービスの利用に際して、ユーザの興味や意図を反映させることが可能な携帯端末装置、補完視聴サービスシステム及び補完視聴サービス方法を提供できる。
【図面の簡単な説明】
【００２９】
【図１】本発明の実施形態に係るデジタル放送システムの構成を示す図
【図２】本実施形態に係るジャンル毎の補完視聴サービスの利用可否状況、設定回数、配信データの種類及び画質の劣化度合いを示すテーブル
【図３】本実施形態における補完視聴サービスのメインメニュー画面を示す図
【図４】本実施形態においてメインメニュー画面で「ジャンル選択」が選択された場合の画面遷移を示す図
【図５】本実施形態においてメインメニュー画面で「ジャンル選択」が選択された場合の設定処理手順を示すフローチャート
【図６】本実施形態においてメインメニュー画面で「配信データ選択」が選択された場合に遷移する配信データ選択メニュー画面を示す図
【図７】本実施形態においてメインメニュー画面で「配信データ選択」が選択された場合の設定処理手順を示すフローチャート
【図８】本実施形態においてメインメニュー画面で「サービス利用画質選択」が選択された場合に遷移するサービス利用画質選択メニュー画面を示す図
【図９】本実施形態においてメインメニュー画面で「サービス利用画質選択」が選択された場合の設定処理手順を示すフローチャート
【図１０】本実施形態におけるジャンル保存部内の視聴回数データベースを示す図
【図１１】本実施形態において視聴回数を用いて補完視聴サービスを利用する際の処理手順を示すフローチャート
【図１２】本実施形態におけるジャンル保存部内の補完視聴利用回数データベースを示す図
【図１３】本実施形態において利用回数を用いて補完視聴サービスを利用する際の処理手順を示すフローチャート
【図１４】本実施形態に係る画質劣化度合いに対応するビット誤り率（ＢＥＲ）を示すテーブル
【図１５】本実施形態において画質の劣化による補完視聴サービスの開始処理手順を示すフローチャート
【図１６】本実施形態における手動による補完視聴サービスの中止動作を示す図
【図１７】本実施形態における補完視聴サービスの中止動作処理手順を示すフローチャート
【図１８】本実施形態における補完視聴サービスサーバの補完視聴サービス用コンテンツデータの配信処理手順を示すフローチャート
【図１９】従来の携帯端末向けデジタル放送システムの構成例を示す図
【符号の説明】
【００３０】
１０  放送局
２０  補完視聴サービスサーバ
３０  電話公衆網
４０  無線基地局
５０  携帯端末装置
５１  アンテナ
５２  無線部
５３  信号処理部
５６  設定保存部
５７  ジャンル保存部
５８  入力部
５９  ＢＥＲ評価部
６０  表示部
６１  制御部
【発明を実施するための最良の形態】
【００３１】
以下の実施形態では、携帯電話向けの地上波デジタル放送システムに適用した補完視聴サービスシステム及び携帯端末装置の構成例を示す。【００３２】
図１は本発明の実施形態に係るデジタル放送システムの構成を示す図である。デジタル放送システムは、放送局１０、補完視聴サービスサーバ２０、電話公衆網３０、無線基地局４０及び携帯端末装置５０を有して構成される。【００３３】
放送局１０は、携帯端末向けの地上波デジタル放送を行い、各携帯端末へ放送コンテンツの配信を行う。補完視聴サービスサーバ２０は、放送局１０からのデジタル放送を受信し、放送番組の内容を高速再生ファイル、ダイジェストコンテンツなどの補完視聴サービス用コンテンツに変換（編集）して蓄積する。また、補完視聴サービスサーバ２０は、情報処理装置から構成され、電話公衆網３０を介して携帯端末装置５０から送信された後述する情報（利用設定情報及び視聴不可情報）を受信する通信部の機能を有する。また、補完視聴サービスサーバ２０は、受信した利用設定情報及び視聴不可情報を基に、録画された番組内容を用いて補完視聴サービス用コンテンツデータを編集する編集部の機能、及び、この補完視聴サービス用コンテンツデータを携帯端末装置５０に配信する配信部の機能を有する。【００３４】
電話公衆網３０及び無線基地局４０は、補完視聴サービスサーバ２０から携帯端末装置５０に向けて配信された補完視聴サービス用コンテンツを中継する。無線基地局４０は、携帯端末装置５０との間で音声通信、パケット通信等を行う。【００３５】
携帯端末装置５０は、放送局１０から送信された携帯端末用デジタル放送を受信し、放送番組を視聴可能にする。また、携帯端末装置５０は、受信エラー等の原因で放送局１０から送信された放送番組が視聴できなかった場合、視聴できなかった部分を補完視聴サービスサーバ２０から配信された補完視聴サービス用コンテンツで補完し、視聴可能にする。【００３６】
携帯端末装置５０は主な構成要素として制御部６１を有する。制御部６１は、ＣＰＵ等のプロセッサ及びＲＯＭやＲＡＭ等のメモリを有し、所定のプログラムに基づいて各種制御処理動作を行う。これにより、制御部６１において、利用条件設定部、利用条件判別部、サービス利用可能設定部、停止要求受付部の各機能を実現する。この制御部６１には、無線部５２、信号処理部５３、設定保存部５６、ジャンル保存部５７、入力部５８、ＢＥＲ評価部５９及び表示部６０が接続されている。また、信号処理部５３には、スピーカ５４及びマイク５５が接続されている。無線部５２には、アンテナ５１が接続されている。【００３７】
アンテナ５１は、放送局１０からの電波を受信し、無線基地局４０との間で音声及びパケットデータの送受信を行う。無線部５２は、通信部の機能を有するもので、放送局１０から受信した電波を低周波数帯の信号に変換するダウンコンバート及び復調処理を行う。また、無線部５２は、音声やパケットデータの変調処理及びアップコンバートを行う。信号処理部５３は、無線部５２で復調された信号を処理して音声信号に変換し、スピーカ５４から音声を出力する。また、マイク５５で受けた音声を電気信号に変換し、無線部５２の処理に適した信号に変換する。【００３８】
設定保存部５６は、ユーザによって設定された情報を保存する。具体的には、「補完視聴サービスを行うか否か」、「ひどく画質が劣化した場合に補完視聴サービスを利用する」、「少しだけ画質が劣化した場合に補完視聴サービスを利用する」等の後述する設定情報が保存される。また、設定情報として、デジタル放送番組を視聴する際の設定視聴回数、及び補完視聴サービスを利用する際の設定サービス利用回数が保存される。また、これらの情報は図２に示すテーブルに保存されている。【００３９】
図２はジャンル毎の補完視聴サービスの利用可否状況、設定回数、配信データの種類及び画質の劣化度合いを示すテーブルである。図２（Ａ）はジャンル毎の補完視聴サービスの利用可否状況を示すテーブル（利用可否状況テーブル）である。ここでは、「スポーツ」、「政治」、「経済」がそれぞれ利用可、利用不可、利用可に設定されている。図２（Ｂ）は後述する設定視聴回数及び設定サービス利用回数の値を示すテーブルである。図２（Ｃ）は配信データとして選択される補完視聴サービス用コンテンツの種類を示すテーブルである。ここでは、補完視聴サービス用コンテンツとして、ダイジェストコンテンツ及び高速再生ファイルのうち、ダイジェストコンテンツが選択されている。図中の「＊」は選択されていることを表す。図２（Ｄ）は画質の劣化度合いの設定を示すテーブルである。ここでは、画質劣化度合いとして、「中」が設定されている。【００４０】
ジャンル保存部５７は、ユーザが視聴したデジタル放送番組の回数をジャンル毎に計数し、視聴回数データベース（図１０参照）に保存する。この視聴回数データベースはジャンル保存部５７内に設けられている。また、各ジャンル毎に補完視聴サービスを利用した回数を計数し、補完視聴利用回数データベース（図１２参照）に保存する。この補完視聴利用回数データベースもジャンル保存部５７内に設けられている。【００４１】
入力部５８は、ユーザが補完視聴サービスを利用する際の設定を行うインターフェースである。ＢＥＲ評価部５９は、無線部５２で復調した信号からビット誤り率（ＢＥＲ）を測定する。また、ＢＥＲ評価部５９には、画質劣化度合いに対応するＢＥＲ値を示す画質劣化度合いテーブル（図１４参照）が格納されている。【００４２】
表示部６０は、デジタル放送番組の映像や、補完視聴サービスサーバ２０から配信されたダイジェストコンテンツあるいは高速再生ファイルの映像を表示する。また、後述する補完視聴サービスを利用する際の各種情報や画面を表示する。【００４３】
上記構成を有する補完視聴サービスシステムの動作を示す。始めに、ユーザの興味や意図を考慮して補完視聴サービスの利用条件を設定する場合を示す。図３は補完視聴サービスのメインメニュー画面７１を示す図である。このメインメニュー画面７１は、携帯端末装置５０の表示部６０に表示される。メインメニュー画面７１には、「ジャンル選択」、「配信データ選択」及び「サービス利用画質選択」の項目が表示されている。ユーザは、入力部５８を介していずれかの項目にカーソルを合わせ、その状態で確定キーを押下することで、選択された項目の設定が可能となる。【００４４】
図中、「ジャンル選択」は、補完視聴サービスを行うジャンルを選択する項目である。「配信データ選択」は、補完視聴サービスを利用したときに配信されるデータの種類を選択する項目である。つまり、配信されるデータとして、ダイジェストコンテンツ及び高速再生ファイルのいずれかが選択される。「サービス利用画質選択」は、補完視聴サービスを利用する際、受信画像の劣化程度を選択する項目である。つまり、ビット誤り率（ＢＥＲ）の選択及びその評価が行われる。【００４５】
図４はメインメニュー画面７１で「ジャンル選択」が選択された場合の画面遷移を示す図である。メインメニュー画面７１で「ジャンル選択」が選択されると、ジャンル選択メニュー画面７２が表示部６０に表示される。ジャンル選択メニュー画面７２には、「全てのジャンル」、「ユーザ設定のジャンル」、「過去Ｘ回視聴したジャンル」及び「過去Ｘ回サービスを利用したジャンル」のいずれかの項目が選択可能である。ユーザは入力部５８を介していずれかの項目にカーソルを合わせ、その状態で確定キーを押下することで、選択された項目の設定が可能となる。図４では、設定された項目に「○」印が付されている。このことは、以後においても同様である。【００４６】
「全てのジャンル」は、全てのジャンルで補完視聴サービスが利用可能な項目である。「ユーザ設定のジャンル」は、ユーザが設定したジャンルで補完視聴サービスが利用可能な項目である。「過去Ｘ回視聴したジャンル」は、過去Ｘ回視聴したジャンル内の番組で補完視聴サービスが利用可能な項目である。ここで、「Ｘ」は任意の設定回数であり、補完視聴サービスを利用したか否かについては問われない。「過去Ｘ回サービスを利用したジャンル」は、過去Ｘ回サービスを利用したジャンル内の番組で補完視聴サービスが利用可能な項目である。ここで、「Ｘ」は任意の設定回数である。このように、ユーザが補完視聴サービスを利用する際のジャンルの選択は、上記３つのいずれかの項目で行われる。【００４７】
例えば、図４に示すように、ジャンル選択メニュー画面７２で「ユーザ設定のジャンル」の項目が選択された場合、「補完視聴サービスを利用するジャンル」の画面７３が表示部６０に表示される。この画面７３では、補完視聴サービスを利用するジャンルとして、ユーザの選択により、「スポーツ」、「海外」及び「ギャンブル」が設定されている。【００４８】
また、「過去Ｘ回視聴したジャンル」の項目が選択された場合、回数設定画面７４が表示部６０に表示される。この画面７４では、補完視聴サービスを利用するジャンルとして、「過去に３回以上、視聴したジャンル」が設定されている。【００４９】
また、「過去Ｘ回サービスを利用したジャンル」の項目が選択された場合、回数設定画面７５が表示部６０に表示される。この画面７５では、補完視聴サービスを利用するジャンルとして、「過去に４回以上、補完視聴サービスを利用したジャンル」が設定されている。【００５０】
図５はメインメニュー画面７１で「ジャンル選択」が選択された場合の設定処理手順を示すフローチャートである。この処理プログラムは、制御部６１内のメモリに格納されており、「ジャンル選択」が選択された際、制御部６１のプロセッサによって実行される。【００５１】
まず、制御部６１は、表示部６０にジャンル選択メニュー画面７２を表示する（ステップＳ１）。制御部６１は、入力部５８を介してユーザによって指定された選択項目を判別する（ステップＳ２）。選択項目が「全てのジャンル」である場合、全てのジャンルに対し、補完視聴サービスを利用可能に設定する（ステップＳ３）。一方、選択項目が「ユーザ設定のジャンル」である場合、制御部６１は、表示部６０にジャンル選択画面７３を表示する（ステップＳ４）。制御部６１は、入力部５８を介してユーザによって選択されたジャンルに対し、補完視聴サービスを利用可能に設定する（ステップＳ５）。【００５２】
一方、選択項目が「過去Ｘ回視聴したジャンル」である場合、制御部６１は、表示部６０に回数設定画面７４を表示する（ステップＳ６）。制御部６１は入力部５８を介してユーザによって入力された設定視聴回数（ジャンル毎の設定回数）を設定する（ステップＳ７）。一方、選択項目が「過去Ｘ回サービスを利用したジャンル」である場合、制御部６１は、表示部６０に回数設定画面７５を表示する（ステップＳ８）。制御部６１は入力部５８を介してユーザによって入力された設定サービス利用回数（補完視聴サービスの設定回数）を設定する（ステップＳ９）。ステップＳ３、Ｓ５、Ｓ７あるいはＳ９の処理後、本処理を終了する。【００５３】
図６はメインメニュー画面７１で「配信データ選択」が選択された場合に遷移する配信データ選択メニュー画面８１を示す図である。表示部６０に表示された配信データ選択メニュー画面８１では、「高速ファイル」または「ダイジェストコンテンツ」の項目が選択可能である。図６では、「ダイジェストコンテンツ」が選択されている。【００５４】
図７はメインメニュー画面７１で「配信データ選択」が選択された場合の設定処理手順を示すフローチャートである。この処理プログラムは、制御部６１内のメモリに格納されており、「配信データ選択」が選択された際、制御部６１のプロセッサによって実行される。【００５５】
まず、制御部６１は、表示部６０に配信データ選択メニュー画面８１を表示する（ステップＳ１１）。制御部６１は、入力部５８を介してユーザによって選択された配信データの種類を判別する（ステップＳ１２）。選択された配信データの種類が「高速ファイル」である場合、補完視聴サービスで提供される配信データを高速ファイルに設定する（ステップＳ１３）。この後、本処理を終了する。一方、ステップＳ１２で選択された配信データの種類が「ダイジェストコンテンツ」である場合、補完視聴サービスで提供される配信データをダイジェストコンテンツに設定する（ステップＳ１４）。この後、本処理を終了する。【００５６】
図８はメインメニュー画面７１で「サービス利用画質選択」が選択された場合に遷移するサービス利用画質選択メニュー画面８４を示す図である。表示部６０に表示されたサービス利用画質選択メニュー画面８４では、「画質劣化大」、「画質劣化中」及び「画質劣化小」のいずれかの項目が選択可能である。図８では、「画質劣化中」の項目が選択されている。【００５７】
図９はメインメニュー画面７１で「サービス利用画質選択」が選択された場合の設定処理手順を示すフローチャートである。この処理プログラムは、制御部６１内のメモリに格納されており、「サービス利用画質選択」が選択された際、制御部６１のプロセッサによって実行される。【００５８】
まず、制御部６１は、表示部６０にサービス利用画質選択メニュー画面８４を表示する（ステップＳ２１）。制御部６１は、入力部５８を介してユーザによって選択された画質の劣化度合いを判別する（ステップＳ２２）。選択された画質の劣化度合いが「画質劣化大」である場合、制御部６１は、画質劣化度合いを「画質劣化大」（図２（Ｄ）参照）に設定する（ステップＳ２３）。同様に、選択された画質の劣化度合いが「画質劣化中」である場合、制御部６１は、画質劣化度合いを「画質劣化中」に設定し（ステップＳ２４）、選択された画質の劣化度合いが「画質劣化小」である場合、制御部６１は、画質劣化度合いを「画質劣化小」に設定する（ステップＳ２５）。ステップＳ２３、Ｓ２４あるいはＳ２５の処理後、本処理を終了する。【００５９】
このようにして設定された各項目は、設定保存部５６に保存され（図２参照）、必要に応じて、制御部６１によって参照される。【００６０】
つぎに、設定視聴回数を用いて、補完視聴サービスを利用する動作を示す。ユーザが視聴したデジタル放送番組の視聴回数は、「スポーツ」、「お笑い」、「ギャンブル」等のジャンル毎に計数され、ジャンル保存部５７内の視聴回数データベースに保存される。【００６１】
図１０はジャンル保存部５７内の視聴回数データベースを示す図である。ジャンル保存部５７には、前述したように、ジャンル毎の視聴回数を記憶する視聴回数データベースが設けられている。具体的に、「スポーツ」の視聴回数として３回、「政治」の視聴回数として５回、「経済」の視聴回数として４回、「海外」の視聴回数として８回、「ギャンブル」の視聴回数として３０回が記憶されている。そして、携帯端末装置５０で「海外」のジャンルの番組が視聴されると、「海外」の視聴回数が９回に更新される。【００６２】
図１１は視聴回数を用いて補完視聴サービスを利用する際の処理手順を示すフローチャートである。この処理プログラムは、制御部６１内のメモリに格納されており、番組の視聴が開始された際、制御部６１のプロセッサによって実行される。【００６３】
まず、現在視聴している放送番組のジャンルをデジタル放送信号から取得する（ステップＳ３１）。取得したジャンルに対応する、視聴回数データベース（図１０参照）に記憶された視聴回数と、設定保存部５６に保存された設定視聴回数（図２（Ｂ）参照）とを比較し、視聴回数が設定視聴回数を上回っているか否かを判別する（ステップＳ３２）。上回っている場合、設定保存部５６に保存されている、このジャンルの補完視聴サービスの利用状況（図２（Ａ）参照）を「可」に設定する（ステップＳ３３）。即ち、図２（Ａ）に示す利用可否状況テーブルを更新する。これにより、このジャンルの補完視聴サービスが利用可能となる。【００６４】
さらに、視聴回数データベース（図１０参照）における、このジャンルに対応する視聴回数を値１増やす（ステップＳ３４）。この後、本処理を終了する。一方、ステップＳ２で視聴回数が設定視聴回数以下である場合、このジャンルの補完視聴サービス利用状況の設定を「不可」のまま変更することなく、視聴回数データベース（図１０参照）における、このジャンルに対応する視聴回数を値１増やす（ステップＳ５）。この後、本処理を終了する。【００６５】
このように、ジャンル選択メニュー７２で「過去Ｘ回視聴したジャンル」が選択された場合、設定保存部５６に保存された設定視聴回数及びジャンル保存部５７に保存された視聴回数を参照し、これらを比較する。視聴回数が設定視聴回数を上回った場合、そのジャンルについては、自動的に補完視聴サービスを利用可能であることが設定される。これにより、デジタル放送の各番組毎に補完視聴サービスを利用するか否かを設定する手間を省くことができる。【００６６】
つぎに、設定されたサービス利用回数を用いて、補完視聴サービスを利用する動作を示す。ユーザが補完視聴サービスを利用した放送番組の利用回数は、「スポーツ」、「お笑い」、「ギャンブル」等のジャンル毎に計数され、ジャンル保存部５７に保存される。【００６７】
図１２はジャンル保存部５７内の補完視聴利用回数データベースを示す図である。ジャンル保存部５７には、補完視聴サービスの利用回数をジャンル毎に記憶する補完視聴利用回数データベースが設けられている。具体的に、「スポーツ」の利用回数として２回、「政治」の利用回数として６回、「経済」の利用回数として４回、「海外」の利用回数として１０回、「ギャンブル」の利用回数として３２回が記憶されている。そして、携帯端末装置５０で「政治」のジャンルの番組で補完視聴サービスが利用されると、「政治」の利用回数が７回に更新される。【００６８】
図１３は利用回数を用いて補完視聴サービスを利用する際の処理手順を示すフローチャートである。この処理プログラムは、制御部６１内のメモリに格納されており、番組の視聴が開始された際、制御部６１のプロセッサによって実行される。【００６９】
まず、現在視聴している放送番組のジャンルをデジタル放送信号から取得する（ステップＳ４１）。取得したジャンルに対応する、補完視聴利用回数データベース（図１２参照）に記憶された利用回数と、設定保存部５６に保存された設定サービス利用回数とを比較し、利用回数が設定サービス利用回数を上回っているか否かを判別する（ステップＳ４２）。上回っている場合、設定保存部５６に保存されている、このジャンルの補完視聴サービス利用を「可」に設定する（ステップＳ４３）。即ち、図２（Ａ）に示す利用可否状況テーブルを更新する。これにより、このジャンルについては、補完視聴サービスが利用可能となる。さらに、補完視聴利用回数データベース（図１２参照）における、このジャンルに対応する利用回数を値１増やす（ステップＳ４４）。この後、本処理を終了する。一方、ステップＳ４２で利用回数が設定サービス利用回数以下である場合、このジャンルの補完視聴サービス利用の設定を「不可」のまま変更することなく、補完視聴利用回数データベース（図１２参照）における、このジャンルに対応する視聴回数を値１増やす（ステップＳ４５）。この後、本処理を終了する。【００７０】
このように、ジャンル選択メニュー７２で「過去Ｘ回サービスを利用したジャンル」が選択された場合、設定保存部５６に保存された設定サービス利用回数及びジャンル保存部５７に保存された利用回数を参照し、これらを比較する。利用回数が設定サービス回数を上回った場合、自動的に補完視聴サービスを利用する。これにより、デジタル放送の各番組毎に補完視聴サービスを利用するか否かを設定する手間を省くことができる。【００７１】
つぎに、設定された画質の劣化度合いを用いて、補完視聴サービスを利用する動作を示す。前述したように、ユーザは、入力部５８を介して、画質劣化度合いである「大」、「中」、「小」のいずれかを選択する。設定保存部５６には、ユーザによって選択された、補完視聴サービスを利用する際の画質劣化度合いが設定されている。【００７２】
図１４は画質劣化度合いに対応するビット誤り率（ＢＥＲ）を示すテーブルである。このテーブルは、ＢＥＲ評価部５９に設けられている。このテーブルには、画質劣化度合いである「大」、「中」、「小」に対応したＢＥＲの設定値が示されている。即ち、「画質劣化大」のときにＢＥＲ設定値が１０−４であり、「画質劣化中」のときにＢＥＲ設定値が１０−５であり、「画質劣化小」のときにＢＥＲ設定値が１０−６である。【００７３】
図１５は画質の劣化による補完視聴サービスの開始処理手順を示すフローチャートである。この処理プログラムは、制御部６１内のメモリに格納されており、番組の視聴が開始された後、制御部６１のプロセッサによって実行される。【００７４】
まず、制御部６１は、ＢＥＲ評価部５９に対し、視聴している番組のデジタル放送信号のビット誤り率（ＢＥＲ）を測定させる（ステップＳ５１）。制御部６１は、測定したＢＥＲの値が設定値（図１４参照）を上回っているか否かを判別する（ステップＳ５２）。設定値を上回っている場合、制御部６１は、補完視聴サービスの利用を開始する（ステップＳ５３）。この補完視聴サービスの利用開始に際し、携帯端末装置５０は補完視聴サービスサーバ２０に利用設定情報及び視聴不可情報を送信する。この後、本処理を終了する。ここで、利用設定情報としては、図２に示すジャンル毎の補完視聴サービスの利用の可否、配信データの種類等の情報が含まれる。また、視聴不可情報には、視聴が不可能になった時刻、再び視聴可能になっている場合、その時刻等の情報が含まれる。一方、ステップＳ２２で、測定したＢＥＲの値が設定値以下である場合、そのまま本処理を終了する。【００７５】
このように、ユーザが設定した画質の劣化度合いを用いて、補完視聴サービスの利用の可否を決定することができる。従って、多少の画質の劣化であれば、補完視聴サービスを不要にする。これにより、繰り返し補完視聴サービスを提供することによって生じる補完視聴サービスサーバ２０のリソースの不足は解消される。【００７６】
また、図１５では、測定したＢＥＲの値が設定値（図１４参照）を上回っている場合、補完視聴サービスの利用が利用可否状況テーブルで「可」に設定されたジャンル（図２（Ａ）参照）に対してだけ、補完視聴サービスの利用を開始するようにした。従って、「不可」に設定されたジャンルに対しては、補完視聴サービスの利用が開始されない。なお、全てのジャンルを対象とする場合、利用可否状況テーブルを全て「可」に設定すればよいことは勿論である。【００７７】
つぎに、補完視聴サービスで録画された配信データをユーザが手動削除する動作を示す。ユーザが興味ある番組を視聴している途中で、視聴が不可能になり、補完視聴サービスサーバによってその放送番組が録画された場合、ユーザの都合によりそのダイジェストコンテンツ及び高速再生ファイルの配信が不要なことも考えられる。しかし、そのままでは、デジタル放送が視聴可能な状態になったときでも、自動的に不要な補完視聴サービス用コンテンツデータが配信される。【００７８】
このことを防ぐために、デジタル放送番組が視聴不可能となっている場合、ユーザは、携帯端末装置５０からパケット通信を利用して補完視聴サービスサーバ２０に対し、録画中止及びコンテンツデータの削除を命令することを可能とする。図１６は手動による補完視聴サービスの中止動作を示す図である。デジタル放送番組が視聴不可能となり、補完視聴サービスを利用する場合、表示部６０には、補完視聴サービスの利用を中止するか否か、ユーザの入力を促すサービス中止受付画面９１が表示される。そして、ユーザの指示に応じた処理が行われる。【００７９】
図１７は補完視聴サービスの中止動作処理手順を示すフローチャートである。この処理プログラムは、制御部６１内のメモリに格納されており、番組が視聴不可能となって補完視聴サービスを利用している際、制御部６１のプロセッサによって実行される。【００８０】
まず、制御部６１は、補完視聴サービスを利用中であるか否かを確認する（ステップＳ６１）。利用中である場合、制御部６１は、表示部６０にサービス中止受付画面９１（図１６参照）を表示する（ステップＳ６２）。そして、制御部６１は、入力部５８を介してユーザによるサービスの中止を受け付けたか否かを判別する（ステップＳ６３）。サービスの中止を受け付けた場合、制御部６１は、無線基地局４０及び電話公衆網３０を介して補完視聴サービスサーバ２０に対し、補完視聴サービスの停止を指示する（ステップＳ６４）。この後、本処理を終了する。【００８１】
一方、ステップＳ６３で、サービスの継続を受け付けた場合、制御部６１は、補完視聴サービスを継続する（ステップＳ６５）。この後、本処理を終了する。また一方、ステップＳ６１で補完視聴サービスを利用中でない場合、そのまま本処理を終了する。【００８２】
このように、興味のあるジャンルの番組であっても、補完視聴サービスが不要である場合、ユーザは任意にその補完視聴サービスを停止することができる。【００８３】
図１８は補完視聴サービスサーバ２０の補完視聴サービス用コンテンツデータの配信処理手順を示すフローチャートである。この処理プログラムは、補完視聴サービスサーバ２０内の記憶媒体（図示せず）に格納されており、補完視聴サービスサーバ２０内のプロセッサ（図示せず）によって実行される。【００８４】
まず、補完視聴サービスサーバ２０は、電話公衆網３０を介して携帯端末装置５０から利用設定情報及び視聴不可情報を受信したか否かを判別する（ステップＳ７１）。受信していない場合、本処理を終了する。一方、利用設定情報及び視聴不可情報を受信している場合、これらの情報に従って、録画した放送番組を用い、補完視聴サービス用コンテンツデータを編集する（ステップＳ７２）。そして、編集した補完視聴サービス用コンテンツデータを配信する（ステップＳ７３）。この後、本処理を終了する。【００８５】
なお、補完視聴サービスサーバ２０は、携帯端末装置５０から事前に利用設定情報を受信しておいてもよく、この場合、番組が視聴不可能になった際に受け取る情報としては、視聴不可能になった時刻等を含む視聴不可情報だけで済む。【００８６】
以上示したように、本実施形態の補完視聴サービスシステムによれば、補完視聴サービスの利用に際して、ユーザの興味や意図を反映させることができる。また、放送番組毎にユーザが補完視聴サービスを利用するか否かという設定を省くことができる。【００８７】
また、ユーザが補完視聴サービスを利用する際の画質の劣化度合いを任意に設定することができる。多少の画質の劣化である場合、補完視聴サービスを不要にすることで、繰り返し補完視聴サービスを提供することによって生じる補完視聴サービス装置のリソースの不足を解消することができる。【００８８】
また、興味のあるジャンルの番組であっても、補完視聴サービスが不要である場合、ユーザは任意にその補完視聴サービスを停止することができる。【００８９】
また、メインメニュー画面に、「ジャンル選択」、「配信データ選択」及び「サービス利用画質選択」の項目を表示し、ユーザにいずれかの項目を選択させることで、補完視聴サービスの利用条件を設定する際の操作性を高めることができる。【００９０】
また、配信データ選択メニュー画面で、ダイジェストコンテンツあるいは高速再生ファイルをユーザに選択させることで、補完視聴サービスにより配信される補完視聴コンテンツを明確にすることができる。【００９１】
また、補完視聴サービスサーバは、ユーザの設定内容に応じて、提供される補完視聴コンテンツを編集することができる。また、放送番組の受信中及び受信開始前のいずれでも、利用条件を設定可能であるので、補完視聴サービスの利便性を高めることができる。【００９２】
なお、本発明は上記の実施形態において示されたものに限定されるものではなく、明細書の記載、並びに周知の技術に基づいて、当業者が変更、応用することも本発明の予定するところであり、保護を求める範囲に含まれる。【００９３】
例えば、上記実施形態では、配信データ（補完視聴サービス用コンテンツデータ）の種類（図２（Ｃ）参照）は全てのジャンルで共通であったが、ジャンル毎に配信データを高速ファイルあるいはダイジェストコンテンツに設定できるようにしてもよい。【００９４】
また、上記実施形態では、携帯電話向けの地上波デジタル放送（ワンセグ放送）に適用した場合を示したが、本発明はインターネット放送、デジタル衛星放送、一般の地上波デジタル放送などにも適用可能である。
【産業上の利用可能性】
【００９５】
本発明は、補完視聴サービスの利用に際して、ユーザの興味や意図を反映させることが可能となる効果を有し、地上波デジタル放送等において、受信中の放送番組が視聴不可能な状態になった場合に補完視聴サービスを利用する携帯端末装置、補完視聴サービスシステム及び補完視聴サービス方法等に有用である。
【図１】
2008065705.tif 000003
【図２】
2008065705.tif 000004
【図３】
2008065705.tif 000005
【図４】
2008065705.tif 000006
【図５】
2008065705.tif 000007
【図６】
2008065705.tif 000008
【図７】
2008065705.tif 000009
【図８】
2008065705.tif 000010
【図９】
2008065705.tif 000011
【図１０】
2008065705.tif 000012
【図１１】
2008065705.tif 000013
【図１２】
2008065705.tif 000014
【図１３】
2008065705.tif 000015
【図１４】
2008065705.tif 000016
【図１５】
2008065705.tif 000017
【図１６】
2008065705.tif 000018
【図１７】
2008065705.tif 000019
【図１８】
2008065705.tif 000020
【図１９】
2008065705.tif 000021
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
（削除）
【請求項２】
受信中の放送番組が視聴不可能な状態になった場合、補完視聴サービスを利用する携帯端末装置であって、
前記補完視聴サービスの利用条件を入力する入力部と、
前記入力した補完視聴サービスの利用条件を設定する利用条件設定部と、
前記受信中の放送番組が視聴不可能な状態にある場合、前記設定された利用条件が満たされているか否かを判別する利用条件判別部と、
前記利用条件が満たされている場合、前記補完視聴サービスを利用可能に設定するサービス利用可能設定部とを備え、
前記利用条件設定部は、前記補完視聴サービスの利用条件として、前記入力部により入力されたジャンル毎の設定回数を設定し、
前記利用条件判別部は、前記受信中の放送番組に対応するジャンルの視聴回数が前記設定回数を上回る場合、前記利用条件が満たされていると判別する携帯端末装置。
【請求項３】
受信中の放送番組が視聴不可能な状態になった場合、補完視聴サービスを利用する携帯端末装置であって、
前記補完視聴サービスの利用条件を入力する入力部と、
前記入力した補完視聴サービスの利用条件を設定する利用条件設定部と、
前記受信中の放送番組が視聴不可能な状態にある場合、前記設定された利用条件が満たされているか否かを判別する利用条件判別部と、
前記利用条件が満たされている場合、前記補完視聴サービスを利用可能に設定するサービス利用可能設定部とを備え、
前記利用条件設定部は、前記補完視聴サービスの利用条件として、前記入力部により入力された前記補完視聴サービスの設定回数をジャンル毎に設定し、
前記利用条件判別部は、前記受信中の放送番組に対応するジャンルの前記視聴補完サービスの利用回数が前記設定回数を上回る場合、前記利用条件が満たされていると判別する携帯端末装置。
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
コンピュータを、請求項２または３に記載の携帯端末装置の各部として機能させるためのプログラム。
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
受信中の放送番組が視聴不可能な状態になった場合、補完視聴サービスを利用する携帯端末装置であって、
前記補完視聴サービスの利用条件を入力する入力部と、
前記入力した補完視聴サービスの利用条件を設定する利用条件設定部と、
前記受信中の放送番組が視聴不可能な状態にある場合、前記設定された利用条件が満たされているか否かを判別する利用条件判別部と、
前記利用条件が満たされている場合、前記補完視聴サービスを利用可能に設定するサービス利用可能設定部とを備え、
前記利用条件設定部は、前記補完視聴サービスの利用条件として、前記入力部により入力されたジャンル毎の設定回数を設定し、
前記利用条件判別部は、前記受信中の放送番組に対応するジャンルの視聴回数が前記設定回数を上回る場合、前記利用条件が満たされていると判別する携帯端末装置。
【請求項２】
受信中の放送番組が視聴不可能な状態になった場合、補完視聴サービスを利用する携帯端末装置であって、
前記補完視聴サービスの利用条件を入力する入力部と、
前記入力した補完視聴サービスの利用条件を設定する利用条件設定部と、
前記受信中の放送番組が視聴不可能な状態にある場合、前記設定された利用条件が満たされているか否かを判別する利用条件判別部と、
前記利用条件が満たされている場合、前記補完視聴サービスを利用可能に設定するサービス利用可能設定部とを備え、
前記利用条件設定部は、前記補完視聴サービスの利用条件として、前記入力部により入力された前記補完視聴サービスの設定回数をジャンル毎に設定し、
前記利用条件判別部は、前記受信中の放送番組に対応するジャンルの前記視聴補完サービスの利用回数が前記設定回数を上回る場合、前記利用条件が満たされていると判別する携帯端末装置。
【請求項３】
コンピュータを、請求項１または２に記載の携帯端末装置の各部として機能させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、地上波デジタル放送等において、受信中の放送番組が視聴不可能な状態になった場合に補完視聴サービスを利用する携帯端末装置に関する。
【背景技術】
【０００２】
図１９は従来の携帯端末向けデジタル放送システムの構成例を示す図である。この携帯端末向けデジタル放送システムは、放送局１１０、補完視聴サービスサーバ１２０、電話公衆網１３０、無線基地局１４０及び携帯端末装置１５０を有して構成される。
【０００３】
放送局１１０は、携帯端末向けの地上波デジタル放送を行う。補完視聴サービスサーバ１２０は、放送局１１０からのデジタル放送を受信し、デジタル放送の番組内容を高速再生ファイル、ダイジェストコンテンツなどの補完視聴サービス用コンテンツデータに変換して蓄積する。電話公衆網１３０及び無線基地局１４０は、補完視聴サービスサーバ１２０の補完視聴サービス用コンテンツデータを携帯端末装置１５０に配信する。
【０００４】
携帯端末装置１５０は、放送局１１０からのデジタル放送を直接受信する機能、及び受信エラー等の原因で放送局１１０からのデジタル放送番組を視聴できなかった場合、視聴できなかった部分を補完視聴サービスサーバ１２０から補完して視聴可能にする機能を有する。
【０００５】
具体的に、携帯端末装置１５０で携帯端末向けデジタル放送を受信して視聴している途中、ビット誤り率（ＢＥＲ：Bit Error Rate）等の要因で視聴できなくなった場合、携帯端末装置１５０から無線基地局１４０に向けて視聴が不可能になった時刻がパケット通信により送られる。その後、視聴可能になった場合、その時刻が再び無線基地局１４０に送信される。
【０００６】
補完視聴サービスサーバ１２０は、無線基地局１４０から電話公衆網１３０を介して視聴不可能になった時刻及び視聴可能になった時刻を受信する。そして、上記時刻間を含む番組内容のダイジェストコンテンツあるいは高速再生ファイルを生成し、無線基地局１４０から携帯端末装置１５０に向けて配信する。携帯端末装置１５０は、配信されたダイジェストコンテンツあるいは高速再生ファイルを再生する。
【０００７】
この配信されるダイジェストコンテンツあるいは高速再生ファイルには、放送時刻情報が多重化されている。携帯端末装置１５０は、放送時刻情報を監視し、放送時刻情報が現在時刻に追いついた段階で、自動的にデジタル放送の受信に切り替える。これにより、番組内容が途切れることなく視聴が可能となる。
【０００８】
このように、従来の携帯端末向けのデジタル放送システムでは、携帯端末装置でデジタル放送を受信中、ＢＥＲ劣化等の要因で番組を視聴できなくなった場合、補完視聴サービスサーバから携帯端末装置に対して補完視聴サービス用コンテンツデータが配信される。これにより、視聴できなかった番組部分を補完して視聴することが可能となる。
【特許文献１】特開２００４−３４９９３２号公報
【発明の開示】
【発明が解決しようとする課題】
【０００９】
しかしながら、上記従来の補完視聴サービスシステムでは、以下に掲げる問題があり、その改善が要望されている。即ち、ユーザが視聴している番組に対し、ジャンルの興味が反映されなかった。つまり、興味のない番組内容で補完視聴サービスが不要であるにも拘わらず、このサービスが利用されていた。
【００１０】
また、ユーザが視聴しているデジタル放送の中で、特定のジャンルの番組を高頻度で視聴していた場合、次のような問題があった。ここで、ユーザにとってそのジャンルは興味が高いとする。その興味あるジャンルの番組を視聴している途中で、視聴が不可能になった場合、ユーザは、補完視聴サービスを利用するという設定を、視聴している番組毎に行わなければならなかった。
【００１１】
また、補完視聴サービスにより配信される補完視聴サービス用コンテンツデータとして、ダイジェストコンテンツあるいは高速再生ファイルが選択可能であるか否かが明確でなかった。
【００１２】
また、ユーザが興味のあるジャンルの番組を視聴している途中で、視聴が不可能になったために、補完視聴サービスサーバによって番組が録画された場合、次のような問題があった。つまり、興味のあるジャンルの番組であっても、そのダイジェストコンテンツあるいは高速再生ファイルの配信が不要である場合、ユーザの意図に反して自動的に配信されていた。
【００１３】
また、ユーザによって補完視聴サービスを必要とする画質、つまりビット誤り率（ＢＥＲ）の閾値が設定されていないことに起因し、例えば、「多少の画質の劣化ならば、補完視聴サービスは不要」という場合でも、補完視聴サービスが利用されていた。これが繰り返されると、補完視聴サービスサーバのリソースが不足し、肝心の部分で補完視聴サービスを利用できない等の不具合が生じる可能性があった。
【００１４】
本発明は、上記事情に鑑みてなされたもので、補完視聴サービスの利用に際して、ユーザの興味や意図を反映させることができる携帯端末装置を提供することを目的とする。
【課題を解決するための手段】
【００１５】
本発明の携帯端末装置は、受信中の放送番組が視聴不可能な状態になった場合、補完視聴サービスを利用する携帯端末装置であって、前記補完視聴サービスの利用条件を入力する入力部と、前記入力した補完視聴サービスの利用条件を設定する利用条件設定部と、前記受信中の放送番組が視聴不可能な状態にある場合、前記設定された利用条件が満たされているか否かを判別する利用条件判別部と、前記利用条件が満たされている場合、前記補完視聴サービスを利用可能に設定するサービス利用可能設定部とを備えるものである。
これにより、補完視聴サービスの利用に際して、ユーザの興味や意図を反映させることが可能となる。
【００１６】
また、本発明は、上記の携帯端末装置であって、前記利用条件設定部は、前記補完視聴サービスの利用条件として、前記入力部により入力されたジャンル毎の設定回数を設定し、前記利用条件判別部は、前記受信中の放送番組に対応するジャンルの視聴回数が前記設定回数を上回る場合、前記利用条件が満たされていると判別するものとする。
これにより、放送番組毎にユーザが補完視聴サービスを利用するか否かという設定を省くことが可能となる。
【００１７】
また、本発明は、上記の携帯端末装置であって、前記利用条件設定部は、前記補完視聴サービスの利用条件として、前記入力部により入力された前記補完視聴サービスの設定回数をジャンル毎に設定し、前記利用条件判別部は、前記受信中の放送番組に対応するジャンルの前記視聴補完サービスの利用回数が前記設定回数を上回る場合、前記利用条件が満たされていると判別するものとする。
これにより、放送番組毎にユーザが補完視聴サービスを利用するか否かという設定を省くことが可能となる。
【００１８】
また、本発明は、上記の携帯端末装置であって、前記利用条件設定部は、前記補完視聴サービスの利用条件として、画質の劣化度合いを設定し、前記利用条件判別部は、前記受信中の放送番組の画質が前記設定された劣化度合いより劣っている場合、前記利用条件が満たされていると判別するものとする。
これにより、ユーザが補完視聴サービスを利用する際の画質の劣化度合いを任意に設定することが可能となる。例えば、多少の画質の劣化である場合、補完視聴サービスを不要にすることで、繰り返し補完視聴サービスを提供することによって生じる補完視聴サービス装置のリソースの不足を解消することができる。
【００１９】
また、本発明は、上記の携帯端末装置であって、前記利用条件設定部は、前記画質の劣化度合いを複数レベルの中から選択して設定するものとする。
これにより、ユーザが補完視聴サービスを利用する際の画質の劣化度合いを簡単に設定することが可能となる。
【００２０】
また、本発明は、上記の携帯端末装置であって、前記補完視聴サービスの利用の停止要求を受け付ける停止要求受付部を備え、前記サービス利用設定部は、前記停止要求を受け付けた場合、前記補完視聴サービスの利用を停止するものとする。
これにより、興味のあるジャンルの番組であっても、補完視聴サービスが不要である場合、ユーザはその補完視聴サービスを停止することが可能となる。
【００２１】
また、本発明は、上記の携帯端末装置であって、前記補完視聴サービスの利用条件の一覧を表示する表示部を備え、前記入力部は、前記表示された一覧の中からユーザにより選択された前記補完視聴サービスの利用条件を入力するものとする。
これにより、利用条件を設定する際の操作性を高めることが可能となる。
【００２２】
また、本発明は、上記の携帯端末装置であって、前記補完視聴サービスで提供される補完視聴サービス用コンテンツデータの種類を表示する表示部を備え、前記入力部は、前記表示されたデータの中からユーザにより選択された補完視聴サービス用コンテンツデータの種類を入力するものとする。
これにより、補完視聴サービスにより配信される補完視聴サービス用コンテンツデータを明確にすることができる。例えば、ダイジェストコンテンツあるいは高速再生ファイルを選択することができる。
【００２３】
また、本発明は、上記の携帯端末装置であって、前記補完視聴サービスの利用可能に関する利用設定情報、及び前記放送番組の視聴不可能に関する視聴不可情報を、前記補完視聴サービスを提供する補完視聴サービス装置に送信する通信部を備え、前記通信部にて前記補完視聴サービス装置から配信される補完視聴サービス用コンテンツデータを受信するものとする。
これにより、補完視聴サービス装置は、ユーザの設定内容に応じて、提供される補完視聴サービス用コンテンツデータを編集することが可能となる。
【００２４】
また、本発明は、上記の携帯端末装置であって、前記利用条件設定部は、前記放送の受信中及び受信開始前のいずれでも、前記入力部により入力された補完視聴サービスの利用条件を設定可能であるものとする。
これにより、補完視聴サービスを利用する際の利便性を高めることが可能となる。
【００２５】
本発明の補完視聴サービスシステムは、携帯端末装置で受信中の放送番組が視聴不可能な状態になった場合、補完視聴サービス装置が前記携帯端末装置に対して補完視聴サービスを提供する補完視聴サービスシステムであって、前記携帯端末装置は、前記補完視聴サービスの利用条件を入力する入力部と、前記入力した補完視聴サービスの利用条件を設定する利用条件設定部と、前記受信中の放送番組が視聴不可能な状態にある場合、前記設定された利用条件が満たされているか否かを判別する利用条件判別部と、前記利用条件が満たされている場合、前記補完視聴サービスを利用可能に設定するサービス利用可能設定部と、前記補完視聴サービスの利用可能に関する利用設定情報、及び前記放送番組の視聴不可能に関する視聴不可情報を、前記補完視聴サービス装置に送信する通信部とを備え、前記補完視聴サービス装置は、前記携帯端末装置から前記利用設定情報及び前記視聴不可情報を受信する通信部と、前記利用設定情報及び前記視聴不可情報を基に、前記視聴不可能な状態にある放送番組を録画して補完視聴サービス用コンテンツデータを編集する編集部と、前記編集された補完視聴サービス用コンテンツデータを前記携帯端末装置に配信する配信部とを備えるものである。
【００２６】
本発明の補完視聴サービス方法は、携帯端末装置で受信中の放送番組が視聴不可能な状態になった場合、補完視聴サービス装置により前記携帯端末装置に対して補完視聴サービスを提供する補完視聴サービス方法であって、前記携帯端末装置において、入力装置を介して前記補完視聴サービスの利用条件を入力する入力ステップと、前記入力した補完視聴サービスの利用条件を設定する利用条件設定ステップと、前記受信中の放送番組が視聴不可能な状態にある場合、前記設定された利用条件が満たされているか否かを判別する利用条件判別ステップと、前記利用条件が満たされている場合、前記補完視聴サービスを利用可能に設定する利用可能設定ステップと、前記補完視聴サービスの利用可能に関する利用設定情報、及び前記視聴不可能に関する視聴不可情報を、前記補完視聴サービス装置に送信する送信ステップとを有し、前記補完視聴サービス装置において、前記携帯端末装置から前記利用設定情報及び前記視聴不可情報を受信する受信ステップと、前記利用設定情報及び前記視聴不可情報を基に、前記視聴不可能な状態にある放送番組を録画して補完視聴サービス用コンテンツデータを編集する編集ステップと、前記編集された補完視聴サービス用コンテンツデータを前記携帯端末装置に配信する配信ステップとを有するものである。
【００２７】
また、本発明は、コンピュータを、上記いずれかに記載の携帯端末装置の各部として機能させるためのプログラムを提供する。
【発明の効果】
【００２８】
本発明によれば、補完視聴サービスの利用に際して、ユーザの興味や意図を反映させることが可能な携帯端末装置、補完視聴サービスシステム及び補完視聴サービス方法を提供できる。
【発明を実施するための最良の形態】
【００２９】
以下の実施形態では、携帯電話向けの地上波デジタル放送システムに適用した補完視聴サービスシステム及び携帯端末装置の構成例を示す。
【００３０】
図１は本発明の実施形態に係るデジタル放送システムの構成を示す図である。デジタル放送システムは、放送局１０、補完視聴サービスサーバ２０、電話公衆網３０、無線基地局４０及び携帯端末装置５０を有して構成される。
【００３１】
放送局１０は、携帯端末向けの地上波デジタル放送を行い、各携帯端末へ放送コンテンツの配信を行う。補完視聴サービスサーバ２０は、放送局１０からのデジタル放送を受信し、放送番組の内容を高速再生ファイル、ダイジェストコンテンツなどの補完視聴サービス用コンテンツに変換（編集）して蓄積する。また、補完視聴サービスサーバ２０は、情報処理装置から構成され、電話公衆網３０を介して携帯端末装置５０から送信された後述する情報（利用設定情報及び視聴不可情報）を受信する通信部の機能を有する。また、補完視聴サービスサーバ２０は、受信した利用設定情報及び視聴不可情報を基に、録画された番組内容を用いて補完視聴サービス用コンテンツデータを編集する編集部の機能、及び、この補完視聴サービス用コンテンツデータを携帯端末装置５０に配信する配信部の機能を有する。
【００３２】
電話公衆網３０及び無線基地局４０は、補完視聴サービスサーバ２０から携帯端末装置５０に向けて配信された補完視聴サービス用コンテンツを中継する。無線基地局４０は、携帯端末装置５０との間で音声通信、パケット通信等を行う。
【００３３】
携帯端末装置５０は、放送局１０から送信された携帯端末用デジタル放送を受信し、放送番組を視聴可能にする。また、携帯端末装置５０は、受信エラー等の原因で放送局１０から送信された放送番組が視聴できなかった場合、視聴できなかった部分を補完視聴サービスサーバ２０から配信された補完視聴サービス用コンテンツで補完し、視聴可能にする。
【００３４】
携帯端末装置５０は主な構成要素として制御部６１を有する。制御部６１は、ＣＰＵ等のプロセッサ及びＲＯＭやＲＡＭ等のメモリを有し、所定のプログラムに基づいて各種制御処理動作を行う。これにより、制御部６１において、利用条件設定部、利用条件判別部、サービス利用可能設定部、停止要求受付部の各機能を実現する。この制御部６１には、無線部５２、信号処理部５３、設定保存部５６、ジャンル保存部５７、入力部５８、ＢＥＲ評価部５９及び表示部６０が接続されている。また、信号処理部５３には、スピーカ５４及びマイク５５が接続されている。無線部５２には、アンテナ５１が接続されている。
【００３５】
アンテナ５１は、放送局１０からの電波を受信し、無線基地局４０との間で音声及びパケットデータの送受信を行う。無線部５２は、通信部の機能を有するもので、放送局１０から受信した電波を低周波数帯の信号に変換するダウンコンバート及び復調処理を行う。また、無線部５２は、音声やパケットデータの変調処理及びアップコンバートを行う。信号処理部５３は、無線部５２で復調された信号を処理して音声信号に変換し、スピーカ５４から音声を出力する。また、マイク５５で受けた音声を電気信号に変換し、無線部５２の処理に適した信号に変換する。
【００３６】
設定保存部５６は、ユーザによって設定された情報を保存する。具体的には、「補完視聴サービスを行うか否か」、「ひどく画質が劣化した場合に補完視聴サービスを利用する」、「少しだけ画質が劣化した場合に補完視聴サービスを利用する」等の後述する設定情報が保存される。また、設定情報として、デジタル放送番組を視聴する際の設定視聴回数、及び補完視聴サービスを利用する際の設定サービス利用回数が保存される。また、これらの情報は図２に示すテーブルに保存されている。
【００３７】
図２はジャンル毎の補完視聴サービスの利用可否状況、設定回数、配信データの種類及び画質の劣化度合いを示すテーブルである。図２（Ａ）はジャンル毎の補完視聴サービスの利用可否状況を示すテーブル（利用可否状況テーブル）である。ここでは、「スポーツ」、「政治」、「経済」がそれぞれ利用可、利用不可、利用可に設定されている。図２（Ｂ）は後述する設定視聴回数及び設定サービス利用回数の値を示すテーブルである。図２（Ｃ）は配信データとして選択される補完視聴サービス用コンテンツの種類を示すテーブルである。ここでは、補完視聴サービス用コンテンツとして、ダイジェストコンテンツ及び高速再生ファイルのうち、ダイジェストコンテンツが選択されている。図中の「＊」は選択されていることを表す。図２（Ｄ）は画質の劣化度合いの設定を示すテーブルである。ここでは、画質劣化度合いとして、「中」が設定されている。
【００３８】
ジャンル保存部５７は、ユーザが視聴したデジタル放送番組の回数をジャンル毎に計数し、視聴回数データベース（図１０参照）に保存する。この視聴回数データベースはジャンル保存部５７内に設けられている。また、各ジャンル毎に補完視聴サービスを利用した回数を計数し、補完視聴利用回数データベース（図１２参照）に保存する。この補完視聴利用回数データベースもジャンル保存部５７内に設けられている。
【００３９】
入力部５８は、ユーザが補完視聴サービスを利用する際の設定を行うインターフェースである。ＢＥＲ評価部５９は、無線部５２で復調した信号からビット誤り率（ＢＥＲ）を測定する。また、ＢＥＲ評価部５９には、画質劣化度合いに対応するＢＥＲ値を示す画質劣化度合いテーブル（図１４参照）が格納されている。
【００４０】
表示部６０は、デジタル放送番組の映像や、補完視聴サービスサーバ２０から配信されたダイジェストコンテンツあるいは高速再生ファイルの映像を表示する。また、後述する補完視聴サービスを利用する際の各種情報や画面を表示する。
【００４１】
上記構成を有する補完視聴サービスシステムの動作を示す。始めに、ユーザの興味や意図を考慮して補完視聴サービスの利用条件を設定する場合を示す。図３は補完視聴サービスのメインメニュー画面７１を示す図である。このメインメニュー画面７１は、携帯端末装置５０の表示部６０に表示される。メインメニュー画面７１には、「ジャンル選択」、「配信データ選択」及び「サービス利用画質選択」の項目が表示されている。ユーザは、入力部５８を介していずれかの項目にカーソルを合わせ、その状態で確定キーを押下することで、選択された項目の設定が可能となる。
【００４２】
図中、「ジャンル選択」は、補完視聴サービスを行うジャンルを選択する項目である。「配信データ選択」は、補完視聴サービスを利用したときに配信されるデータの種類を選択する項目である。つまり、配信されるデータとして、ダイジェストコンテンツ及び高速再生ファイルのいずれかが選択される。「サービス利用画質選択」は、補完視聴サービスを利用する際、受信画像の劣化程度を選択する項目である。つまり、ビット誤り率（ＢＥＲ）の選択及びその評価が行われる。
【００４３】
図４はメインメニュー画面７１で「ジャンル選択」が選択された場合の画面遷移を示す図である。メインメニュー画面７１で「ジャンル選択」が選択されると、ジャンル選択メニュー画面７２が表示部６０に表示される。ジャンル選択メニュー画面７２には、「全てのジャンル」、「ユーザ設定のジャンル」、「過去Ｘ回視聴したジャンル」及び「過去Ｘ回サービスを利用したジャンル」のいずれかの項目が選択可能である。ユーザは入力部５８を介していずれかの項目にカーソルを合わせ、その状態で確定キーを押下することで、選択された項目の設定が可能となる。図４では、設定された項目に「○」印が付されている。このことは、以後においても同様である。
【００４４】
「全てのジャンル」は、全てのジャンルで補完視聴サービスが利用可能な項目である。「ユーザ設定のジャンル」は、ユーザが設定したジャンルで補完視聴サービスが利用可能な項目である。「過去Ｘ回視聴したジャンル」は、過去Ｘ回視聴したジャンル内の番組で補完視聴サービスが利用可能な項目である。ここで、「Ｘ」は任意の設定回数であり、補完視聴サービスを利用したか否かについては問われない。「過去Ｘ回サービスを利用したジャンル」は、過去Ｘ回サービスを利用したジャンル内の番組で補完視聴サービスが利用可能な項目である。ここで、「Ｘ」は任意の設定回数である。このように、ユーザが補完視聴サービスを利用する際のジャンルの選択は、上記３つのいずれかの項目で行われる。
【００４５】
例えば、図４に示すように、ジャンル選択メニュー画面７２で「ユーザ設定のジャンル」の項目が選択された場合、「補完視聴サービスを利用するジャンル」の画面７３が表示部６０に表示される。この画面７３では、補完視聴サービスを利用するジャンルとして、ユーザの選択により、「スポーツ」、「海外」及び「ギャンブル」が設定されている。
【００４６】
また、「過去Ｘ回視聴したジャンル」の項目が選択された場合、回数設定画面７４が表示部６０に表示される。この画面７４では、補完視聴サービスを利用するジャンルとして、「過去に３回以上、視聴したジャンル」が設定されている。
【００４７】
また、「過去Ｘ回サービスを利用したジャンル」の項目が選択された場合、回数設定画面７５が表示部６０に表示される。この画面７５では、補完視聴サービスを利用するジャンルとして、「過去に４回以上、補完視聴サービスを利用したジャンル」が設定されている。
【００４８】
図５はメインメニュー画面７１で「ジャンル選択」が選択された場合の設定処理手順を示すフローチャートである。この処理プログラムは、制御部６１内のメモリに格納されており、「ジャンル選択」が選択された際、制御部６１のプロセッサによって実行される。
【００４９】
まず、制御部６１は、表示部６０にジャンル選択メニュー画面７２を表示する（ステップＳ１）。制御部６１は、入力部５８を介してユーザによって指定された選択項目を判別する（ステップＳ２）。選択項目が「全てのジャンル」である場合、全てのジャンルに対し、補完視聴サービスを利用可能に設定する（ステップＳ３）。一方、選択項目が「ユーザ設定のジャンル」である場合、制御部６１は、表示部６０にジャンル選択画面７３を表示する（ステップＳ４）。制御部６１は、入力部５８を介してユーザによって選択されたジャンルに対し、補完視聴サービスを利用可能に設定する（ステップＳ５）。
【００５０】
一方、選択項目が「過去Ｘ回視聴したジャンル」である場合、制御部６１は、表示部６０に回数設定画面７４を表示する（ステップＳ６）。制御部６１は入力部５８を介してユーザによって入力された設定視聴回数（ジャンル毎の設定回数）を設定する（ステップＳ７）。一方、選択項目が「過去Ｘ回サービスを利用したジャンル」である場合、制御部６１は、表示部６０に回数設定画面７５を表示する（ステップＳ８）。制御部６１は入力部５８を介してユーザによって入力された設定サービス利用回数（補完視聴サービスの設定回数）を設定する（ステップＳ９）。ステップＳ３、Ｓ５、Ｓ７あるいはＳ９の処理後、本処理を終了する。
【００５１】
図６はメインメニュー画面７１で「配信データ選択」が選択された場合に遷移する配信データ選択メニュー画面８１を示す図である。表示部６０に表示された配信データ選択メニュー画面８１では、「高速ファイル」または「ダイジェストコンテンツ」の項目が選択可能である。図６では、「ダイジェストコンテンツ」が選択されている。
【００５２】
図７はメインメニュー画面７１で「配信データ選択」が選択された場合の設定処理手順を示すフローチャートである。この処理プログラムは、制御部６１内のメモリに格納されており、「配信データ選択」が選択された際、制御部６１のプロセッサによって実行される。
【００５３】
まず、制御部６１は、表示部６０に配信データ選択メニュー画面８１を表示する（ステップＳ１１）。制御部６１は、入力部５８を介してユーザによって選択された配信データの種類を判別する（ステップＳ１２）。選択された配信データの種類が「高速ファイル」である場合、補完視聴サービスで提供される配信データを高速ファイルに設定する（ステップＳ１３）。この後、本処理を終了する。一方、ステップＳ１２で選択された配信データの種類が「ダイジェストコンテンツ」である場合、補完視聴サービスで提供される配信データをダイジェストコンテンツに設定する（ステップＳ１４）。この後、本処理を終了する。
【００５４】
図８はメインメニュー画面７１で「サービス利用画質選択」が選択された場合に遷移するサービス利用画質選択メニュー画面８４を示す図である。表示部６０に表示されたサービス利用画質選択メニュー画面８４では、「画質劣化大」、「画質劣化中」及び「画質劣化小」のいずれかの項目が選択可能である。図８では、「画質劣化中」の項目が選択されている。
【００５５】
図９はメインメニュー画面７１で「サービス利用画質選択」が選択された場合の設定処理手順を示すフローチャートである。この処理プログラムは、制御部６１内のメモリに格納されており、「サービス利用画質選択」が選択された際、制御部６１のプロセッサによって実行される。
【００５６】
まず、制御部６１は、表示部６０にサービス利用画質選択メニュー画面８４を表示する（ステップＳ２１）。制御部６１は、入力部５８を介してユーザによって選択された画質の劣化度合いを判別する（ステップＳ２２）。選択された画質の劣化度合いが「画質劣化大」である場合、制御部６１は、画質劣化度合いを「画質劣化大」（図２（Ｄ）参照）に設定する（ステップＳ２３）。同様に、選択された画質の劣化度合いが「画質劣化中」である場合、制御部６１は、画質劣化度合いを「画質劣化中」に設定し（ステップＳ２４）、選択された画質の劣化度合いが「画質劣化小」である場合、制御部６１は、画質劣化度合いを「画質劣化小」に設定する（ステップＳ２５）。ステップＳ２３、Ｓ２４あるいはＳ２５の処理後、本処理を終了する。
【００５７】
このようにして設定された各項目は、設定保存部５６に保存され（図２参照）、必要に応じて、制御部６１によって参照される。
【００５８】
つぎに、設定視聴回数を用いて、補完視聴サービスを利用する動作を示す。ユーザが視聴したデジタル放送番組の視聴回数は、「スポーツ」、「お笑い」、「ギャンブル」等のジャンル毎に計数され、ジャンル保存部５７内の視聴回数データベースに保存される。
【００５９】
図１０はジャンル保存部５７内の視聴回数データベースを示す図である。ジャンル保存部５７には、前述したように、ジャンル毎の視聴回数を記憶する視聴回数データベースが設けられている。具体的に、「スポーツ」の視聴回数として３回、「政治」の視聴回数として５回、「経済」の視聴回数として４回、「海外」の視聴回数として８回、「ギャンブル」の視聴回数として３０回が記憶されている。そして、携帯端末装置５０で「海外」のジャンルの番組が視聴されると、「海外」の視聴回数が９回に更新される。
【００６０】
図１１は視聴回数を用いて補完視聴サービスを利用する際の処理手順を示すフローチャートである。この処理プログラムは、制御部６１内のメモリに格納されており、番組の視聴が開始された際、制御部６１のプロセッサによって実行される。
【００６１】
まず、現在視聴している放送番組のジャンルをデジタル放送信号から取得する（ステップＳ３１）。取得したジャンルに対応する、視聴回数データベース（図１０参照）に記憶された視聴回数と、設定保存部５６に保存された設定視聴回数（図２（Ｂ）参照）とを比較し、視聴回数が設定視聴回数を上回っているか否かを判別する（ステップＳ３２）。上回っている場合、設定保存部５６に保存されている、このジャンルの補完視聴サービスの利用状況（図２（Ａ）参照）を「可」に設定する（ステップＳ３３）。即ち、図２（Ａ）に示す利用可否状況テーブルを更新する。これにより、このジャンルの補完視聴サービスが利用可能となる。
【００６２】
さらに、視聴回数データベース（図１０参照）における、このジャンルに対応する視聴回数を値１増やす（ステップＳ３４）。この後、本処理を終了する。一方、ステップＳ２で視聴回数が設定視聴回数以下である場合、このジャンルの補完視聴サービス利用状況の設定を「不可」のまま変更することなく、視聴回数データベース（図１０参照）における、このジャンルに対応する視聴回数を値１増やす（ステップＳ５）。この後、本処理を終了する。
【００６３】
このように、ジャンル選択メニュー７２で「過去Ｘ回視聴したジャンル」が選択された場合、設定保存部５６に保存された設定視聴回数及びジャンル保存部５７に保存された視聴回数を参照し、これらを比較する。視聴回数が設定視聴回数を上回った場合、そのジャンルについては、自動的に補完視聴サービスを利用可能であることが設定される。これにより、デジタル放送の各番組毎に補完視聴サービスを利用するか否かを設定する手間を省くことができる。
【００６４】
つぎに、設定されたサービス利用回数を用いて、補完視聴サービスを利用する動作を示す。ユーザが補完視聴サービスを利用した放送番組の利用回数は、「スポーツ」、「お笑い」、「ギャンブル」等のジャンル毎に計数され、ジャンル保存部５７に保存される。
【００６５】
図１２はジャンル保存部５７内の補完視聴利用回数データベースを示す図である。ジャンル保存部５７には、補完視聴サービスの利用回数をジャンル毎に記憶する補完視聴利用回数データベースが設けられている。具体的に、「スポーツ」の利用回数として２回、「政治」の利用回数として６回、「経済」の利用回数として４回、「海外」の利用回数として１０回、「ギャンブル」の利用回数として３２回が記憶されている。そして、携帯端末装置５０で「政治」のジャンルの番組で補完視聴サービスが利用されると、「政治」の利用回数が７回に更新される。
【００６６】
図１３は利用回数を用いて補完視聴サービスを利用する際の処理手順を示すフローチャートである。この処理プログラムは、制御部６１内のメモリに格納されており、番組の視聴が開始された際、制御部６１のプロセッサによって実行される。
【００６７】
まず、現在視聴している放送番組のジャンルをデジタル放送信号から取得する（ステップＳ４１）。取得したジャンルに対応する、補完視聴利用回数データベース（図１２参照）に記憶された利用回数と、設定保存部５６に保存された設定サービス利用回数とを比較し、利用回数が設定サービス利用回数を上回っているか否かを判別する（ステップＳ４２）。上回っている場合、設定保存部５６に保存されている、このジャンルの補完視聴サービス利用を「可」に設定する（ステップＳ４３）。即ち、図２（Ａ）に示す利用可否状況テーブルを更新する。これにより、このジャンルについては、補完視聴サービスが利用可能となる。さらに、補完視聴利用回数データベース（図１２参照）における、このジャンルに対応する利用回数を値１増やす（ステップＳ４４）。この後、本処理を終了する。一方、ステップＳ４２で利用回数が設定サービス利用回数以下である場合、このジャンルの補完視聴サービス利用の設定を「不可」のまま変更することなく、補完視聴利用回数データベース（図１２参照）における、このジャンルに対応する視聴回数を値１増やす（ステップＳ４５）。この後、本処理を終了する。
【００６８】
このように、ジャンル選択メニュー７２で「過去Ｘ回サービスを利用したジャンル」が選択された場合、設定保存部５６に保存された設定サービス利用回数及びジャンル保存部５７に保存された利用回数を参照し、これらを比較する。利用回数が設定サービス回数を上回った場合、自動的に補完視聴サービスを利用する。これにより、デジタル放送の各番組毎に補完視聴サービスを利用するか否かを設定する手間を省くことができる。
【００６９】
つぎに、設定された画質の劣化度合いを用いて、補完視聴サービスを利用する動作を示す。前述したように、ユーザは、入力部５８を介して、画質劣化度合いである「大」、「中」、「小」のいずれかを選択する。設定保存部５６には、ユーザによって選択された、補完視聴サービスを利用する際の画質劣化度合いが設定されている。
【００７０】
図１４は画質劣化度合いに対応するビット誤り率（ＢＥＲ）を示すテーブルである。このテーブルは、ＢＥＲ評価部５９に設けられている。このテーブルには、画質劣化度合いである「大」、「中」、「小」に対応したＢＥＲの設定値が示されている。即ち、「画質劣化大」のときにＢＥＲ設定値が１０−４であり、「画質劣化中」のときにＢＥＲ設定値が１０−５であり、「画質劣化小」のときにＢＥＲ設定値が１０−６である。
【００７１】
図１５は画質の劣化による補完視聴サービスの開始処理手順を示すフローチャートである。この処理プログラムは、制御部６１内のメモリに格納されており、番組の視聴が開始された後、制御部６１のプロセッサによって実行される。
【００７２】
まず、制御部６１は、ＢＥＲ評価部５９に対し、視聴している番組のデジタル放送信号のビット誤り率（ＢＥＲ）を測定させる（ステップＳ５１）。制御部６１は、測定したＢＥＲの値が設定値（図１４参照）を上回っているか否かを判別する（ステップＳ５２）。設定値を上回っている場合、制御部６１は、補完視聴サービスの利用を開始する（ステップＳ５３）。この補完視聴サービスの利用開始に際し、携帯端末装置５０は補完視聴サービスサーバ２０に利用設定情報及び視聴不可情報を送信する。この後、本処理を終了する。ここで、利用設定情報としては、図２に示すジャンル毎の補完視聴サービスの利用の可否、配信データの種類等の情報が含まれる。また、視聴不可情報には、視聴が不可能になった時刻、再び視聴可能になっている場合、その時刻等の情報が含まれる。一方、ステップＳ２２で、測定したＢＥＲの値が設定値以下である場合、そのまま本処理を終了する。
【００７３】
このように、ユーザが設定した画質の劣化度合いを用いて、補完視聴サービスの利用の可否を決定することができる。従って、多少の画質の劣化であれば、補完視聴サービスを不要にする。これにより、繰り返し補完視聴サービスを提供することによって生じる補完視聴サービスサーバ２０のリソースの不足は解消される。
【００７４】
また、図１５では、測定したＢＥＲの値が設定値（図１４参照）を上回っている場合、補完視聴サービスの利用が利用可否状況テーブルで「可」に設定されたジャンル（図２（Ａ）参照）に対してだけ、補完視聴サービスの利用を開始するようにした。従って、「不可」に設定されたジャンルに対しては、補完視聴サービスの利用が開始されない。なお、全てのジャンルを対象とする場合、利用可否状況テーブルを全て「可」に設定すればよいことは勿論である。
【００７５】
つぎに、補完視聴サービスで録画された配信データをユーザが手動削除する動作を示す。ユーザが興味ある番組を視聴している途中で、視聴が不可能になり、補完視聴サービスサーバによってその放送番組が録画された場合、ユーザの都合によりそのダイジェストコンテンツ及び高速再生ファイルの配信が不要なことも考えられる。しかし、そのままでは、デジタル放送が視聴可能な状態になったときでも、自動的に不要な補完視聴サービス用コンテンツデータが配信される。
【００７６】
このことを防ぐために、デジタル放送番組が視聴不可能となっている場合、ユーザは、携帯端末装置５０からパケット通信を利用して補完視聴サービスサーバ２０に対し、録画中止及びコンテンツデータの削除を命令することを可能とする。図１６は手動による補完視聴サービスの中止動作を示す図である。デジタル放送番組が視聴不可能となり、補完視聴サービスを利用する場合、表示部６０には、補完視聴サービスの利用を中止するか否か、ユーザの入力を促すサービス中止受付画面９１が表示される。そして、ユーザの指示に応じた処理が行われる。
【００７７】
図１７は補完視聴サービスの中止動作処理手順を示すフローチャートである。この処理プログラムは、制御部６１内のメモリに格納されており、番組が視聴不可能となって補完視聴サービスを利用している際、制御部６１のプロセッサによって実行される。
【００７８】
まず、制御部６１は、補完視聴サービスを利用中であるか否かを確認する（ステップＳ６１）。利用中である場合、制御部６１は、表示部６０にサービス中止受付画面９１（図１６参照）を表示する（ステップＳ６２）。そして、制御部６１は、入力部５８を介してユーザによるサービスの中止を受け付けたか否かを判別する（ステップＳ６３）。サービスの中止を受け付けた場合、制御部６１は、無線基地局４０及び電話公衆網３０を介して補完視聴サービスサーバ２０に対し、補完視聴サービスの停止を指示する（ステップＳ６４）。この後、本処理を終了する。
【００７９】
一方、ステップＳ６３で、サービスの継続を受け付けた場合、制御部６１は、補完視聴サービスを継続する（ステップＳ６５）。この後、本処理を終了する。また一方、ステップＳ６１で補完視聴サービスを利用中でない場合、そのまま本処理を終了する。
【００８０】
このように、興味のあるジャンルの番組であっても、補完視聴サービスが不要である場合、ユーザは任意にその補完視聴サービスを停止することができる。
【００８１】
図１８は補完視聴サービスサーバ２０の補完視聴サービス用コンテンツデータの配信処理手順を示すフローチャートである。この処理プログラムは、補完視聴サービスサーバ２０内の記憶媒体（図示せず）に格納されており、補完視聴サービスサーバ２０内のプロセッサ（図示せず）によって実行される。
【００８２】
まず、補完視聴サービスサーバ２０は、電話公衆網３０を介して携帯端末装置５０から利用設定情報及び視聴不可情報を受信したか否かを判別する（ステップＳ７１）。受信していない場合、本処理を終了する。一方、利用設定情報及び視聴不可情報を受信している場合、これらの情報に従って、録画した放送番組を用い、補完視聴サービス用コンテンツデータを編集する（ステップＳ７２）。そして、編集した補完視聴サービス用コンテンツデータを配信する（ステップＳ７３）。この後、本処理を終了する。
【００８３】
なお、補完視聴サービスサーバ２０は、携帯端末装置５０から事前に利用設定情報を受信しておいてもよく、この場合、番組が視聴不可能になった際に受け取る情報としては、視聴不可能になった時刻等を含む視聴不可情報だけで済む。
【００８４】
以上示したように、本実施形態の補完視聴サービスシステムによれば、補完視聴サービスの利用に際して、ユーザの興味や意図を反映させることができる。また、放送番組毎にユーザが補完視聴サービスを利用するか否かという設定を省くことができる。
【００８５】
また、ユーザが補完視聴サービスを利用する際の画質の劣化度合いを任意に設定することができる。多少の画質の劣化である場合、補完視聴サービスを不要にすることで、繰り返し補完視聴サービスを提供することによって生じる補完視聴サービス装置のリソースの不足を解消することができる。
【００８６】
また、興味のあるジャンルの番組であっても、補完視聴サービスが不要である場合、ユーザは任意にその補完視聴サービスを停止することができる。
【００８７】
また、メインメニュー画面に、「ジャンル選択」、「配信データ選択」及び「サービス利用画質選択」の項目を表示し、ユーザにいずれかの項目を選択させることで、補完視聴サービスの利用条件を設定する際の操作性を高めることができる。
【００８８】
また、配信データ選択メニュー画面で、ダイジェストコンテンツあるいは高速再生ファイルをユーザに選択させることで、補完視聴サービスにより配信される補完視聴コンテンツを明確にすることができる。
【００８９】
また、補完視聴サービスサーバは、ユーザの設定内容に応じて、提供される補完視聴コンテンツを編集することができる。また、放送番組の受信中及び受信開始前のいずれでも、利用条件を設定可能であるので、補完視聴サービスの利便性を高めることができる。
【００９０】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【００９１】
例えば、上記実施形態では、配信データ（補完視聴サービス用コンテンツデータ）の種類（図２（Ｃ）参照）は全てのジャンルで共通であったが、ジャンル毎に配信データを高速ファイルあるいはダイジェストコンテンツに設定できるようにしてもよい。
【００９２】
また、上記実施形態では、携帯電話向けの地上波デジタル放送（ワンセグ放送）に適用した場合を示したが、本発明はインターネット放送、デジタル衛星放送、一般の地上波デジタル放送などにも適用可能である。
【産業上の利用可能性】
【００９３】
本発明は、補完視聴サービスの利用に際して、ユーザの興味や意図を反映させることが可能となる効果を有し、地上波デジタル放送等において、受信中の放送番組が視聴不可能な状態になった場合に補完視聴サービスを利用する携帯端末装置、補完視聴サービスシステム及び補完視聴サービス方法等に有用である。
【図面の簡単な説明】
【００９４】
【図１】本発明の実施形態に係るデジタル放送システムの構成を示す図
【図２】本実施形態に係るジャンル毎の補完視聴サービスの利用可否状況、設定回数、配信データの種類及び画質の劣化度合いを示すテーブル
【図３】本実施形態における補完視聴サービスのメインメニュー画面を示す図
【図４】本実施形態においてメインメニュー画面で「ジャンル選択」が選択された場合の画面遷移を示す図
【図５】本実施形態においてメインメニュー画面で「ジャンル選択」が選択された場合の設定処理手順を示すフローチャート
【図６】本実施形態においてメインメニュー画面で「配信データ選択」が選択された場合に遷移する配信データ選択メニュー画面を示す図
【図７】本実施形態においてメインメニュー画面で「配信データ選択」が選択された場合の設定処理手順を示すフローチャート
【図８】本実施形態においてメインメニュー画面で「サービス利用画質選択」が選択された場合に遷移するサービス利用画質選択メニュー画面を示す図
【図９】本実施形態においてメインメニュー画面で「サービス利用画質選択」が選択された場合の設定処理手順を示すフローチャート
【図１０】本実施形態におけるジャンル保存部内の視聴回数データベースを示す図
【図１１】本実施形態において視聴回数を用いて補完視聴サービスを利用する際の処理手順を示すフローチャート
【図１２】本実施形態におけるジャンル保存部内の補完視聴利用回数データベースを示す図
【図１３】本実施形態において利用回数を用いて補完視聴サービスを利用する際の処理手順を示すフローチャート
【図１４】本実施形態に係る画質劣化度合いに対応するビット誤り率（ＢＥＲ）を示すテーブル
【図１５】本実施形態において画質の劣化による補完視聴サービスの開始処理手順を示すフローチャート
【図１６】本実施形態における手動による補完視聴サービスの中止動作を示す図
【図１７】本実施形態における補完視聴サービスの中止動作処理手順を示すフローチャート
【図１８】本実施形態における補完視聴サービスサーバの補完視聴サービス用コンテンツデータの配信処理手順を示すフローチャート
【図１９】従来の携帯端末向けデジタル放送システムの構成例を示す図
【符号の説明】
【００９５】
１０  放送局
２０  補完視聴サービスサーバ
３０  電話公衆網
４０  無線基地局
５０  携帯端末装置
５１  アンテナ
５２  無線部
５３  信号処理部
５６  設定保存部
５７  ジャンル保存部
５８  入力部
５９  ＢＥＲ評価部
６０  表示部
６１  制御部
【手続補正３】
【補正対象書類名】図面
【補正対象項目名】全図
【補正方法】変更
【補正の内容】
【図１】
2008065705.tif 000022
【図２】
2008065705.tif 000023
【図３】
2008065705.tif 000024
【図４】
2008065705.tif 000025
【図５】
2008065705.tif 000026
【図６】
2008065705.tif 000027
【図７】
2008065705.tif 000028
【図８】
2008065705.tif 000029
【図９】
2008065705.tif 000030
【図１０】
2008065705.tif 000031
【図１１】
2008065705.tif 000032
【図１２】
2008065705.tif 000033
【図１３】
2008065705.tif 000034
【図１４】
2008065705.tif 000035
【図１５】
2008065705.tif 000036
【図１６】
2008065705.tif 000037
【図１７】
2008065705.tif 000038
【図１８】
2008065705.tif 000039
【図１９】
2008065705.tif 000040
【国際調査報告】
2008065705.tif 000041
2008065705.tif 000042
2008065705.tif 000043
2008065705.tif 000044